(57)【要約】【課題】携帯用電話機の道具としての機能は、携帯時は、できるだけコンパクトであり、通信時は、正確さと迅速さの機能を持った道具であることが望まれる。その携帯用電話機の多様化する各種機能に対応するべく、一層多くの情報表示と、より判別しやすい表示画面の開発によって、正確で精細な、見やすい大画面、操作性の良い操作盤面を提供する。【手段】各種操作機能キー類を有する本体の一部と、表示画面の一部を二層構造にして、一方の層を回転させて生じるスペースが、スライドさせたのと同様の効果を生み、本機の表面積を増加させ、各種操作機能キー類のスペースを確保すると同時に、表示画面部分の拡大を可能とするものである。【選択図】図１
2004289507.tif 000002
【特許請求の範囲】
【請求項１】
携帯用電話機等の基盤その他必要部品等を内蔵し、その表面部分に各種操作キー、ボタン類を配置する本体をもって下層とし、本体の長手方向に対して長方形を形成する表示画面を主部品として構成した表示画面をもって上層として、前記上層及び下層の相互が持つ情報を伝達するための接続機能を有する、表示画面に対して水平に回転可能な回転軸をもって連結した状態で一体として構成する上層と下層からなる携帯用電話機で、必要に応じて表示画面部分を直角方向に回転させた時に、表示画面の長方形をなす長辺と短辺との寸法の差で生ずる面が、下層の上部及び下部に露出し、その露出された面も、操作、表示、機能スペースとして活用出来ることにより、本体表面の操作、表示、機能スペースの拡大を可能とし、表示画面の面積の拡大をも可能とした携帯用電話機及び無線通信端末機。
【発明の詳細な説明】
【０００１】
【発明の属する技術分野】
携帯用電話機及び無線通信端末機の各種操作キー、ボタン類の一部と、表示画面の一部を二層構造にして、同じ面積を持つ二つの長方形が直角方向に交差した時に生じる一層になる部分のスペースをも有効に利用するものである。
【０００２】
【従来の技術】
従来の携帯用電話機は、主に▲１▼基盤その他主要部品等を内蔵し、表面部分に番号、記号等を操作するボタン、キー類を配した本体部分の表面に、文字、画像等を現わす表示画面も一体化させた仕様のデザインと、▲２▼番号、記号等を操作するボタン、キー類を配した操作本体部分と、文字、画像等を現わす表示画面部分を二つのパネルに振り分け、回転軸をもって画面表示部分と操作部分の二つのパネルを、接続すると同時に二つ折りを可能にした仕様のデザインの、二機種が多く普及しているが、▲１▼の場合、携帯用を重点としてコンパクトに設計されているので、表面積が限られ、各種操作キーのスペースを最少限度確保すると、どうしても表示画面部分のサイズには限界が生ずる。
また、▲２▼のデザインの場合、二つ折りを開いた場合、表面積は確かに広く使用でき、閉じた場合にも、その表面積は確かにコンパクトとなるが、厚さについては必ずしも携帯に最適とはいえない。また、表示文字の基本である携帯電話番号表示の桁数である１１桁を一行表示するには、横方向一杯に並べても文字サイズに限界があり、表示画面のサイズの割には有効的とはいえない。
そして、着信時や発信時の場合の、器機を起動させる場面において、二つ折りを開くという操作、閉じるという操作にも、両手を使用しなければならない場面も多く、操作性にも不便を感じる本体サイズといえる。
【０００３】
【発明が解決しようとする課題】
従来の携帯用電話機は、コンパクトな形態の中に、多様化する各種機能に対応するべく、内蔵基盤の拡充、操作盤キーの増加などのために、表示画面のスペースを拡大するのは限界のようである。そのため、表示画面の細密化、表示文字、記号、画像などの縮小化をせざるを得ないのが現状である。
そのような状況で、一層多くの情報表示と、より判別しやすい表示画面の開発によって、正確で精細な、見やすい大画面、操作性の良い操作盤面が望まれるところである。
【０００４】
【課題を解決するための手段】
本発明は、各種機能操作キー、ボタン類の一部と、表示画面の一部を二層構造とすることによって、本機の使用に際しては、上の層の表示画面部分を直角方向に回転させることにより、下の層の各種機能操作キーの一部が露出して、その各種機能操作キーをも操作できるように考案したものである。
各種機能操作キーの一部と、表示画面の一部を二層構造としたことにより、その部分をスライドさせるのと同様の効果を生み、本体の表面積を増加させ、各種機能操作キーのスペースを確保すると同時に、表示画面部分の拡大を可能とするものである。
【０００５】
【発明の実施の形態】
以下図面に示す実施例に従って説明する。
【０００６】
【実施例１】
待ち受け時あるいは充電中の状態では、本機の表示画面４は縦長型に位置し、受信の際の表示文字６などは縦長型方向に大きく表示され、充電中のスタンドなどに本機がある場合、あるいは車のダッシュボード上にある時なども、ある程度の距離内に位置する場合は、本機を手に取ることなく明確にその表示文字６などを確認することができる。その後は、本機の着信確認ボタンなどの操作により通話することが出来る。
発信する場合は、本機の表示画面４を直角方向に回転させることにより、画面表示４はワイドに認識することができ、表示文字６、記号などを容易に確認しながら入力、操作することができる。
【０００７】
表示画面４と、基盤、その他主要部品と表示スペース３、機能選択スペース７を配置した本体１０が二層構造をなしており、表示画面４が本体１０に収納されている状態の場合は、表示スペース３、機能選択スペース７は、表示画面４の下層に位置して見えず、その操作が不可能になっているので、機能操作・選択等をロックする役目も果たす。
表示画面４を、本体１０の長手方向に対して直角方向に回転させることにより、表示画面４を横方向にワイドに表示すると共に、二層構造をなして表示画面４の下層に位置して見えなかった、表示スペース３、機能選択スペース７が表面に露出されるので、各々の機能操作・選択等が可能になる。
【０００８】
表示画面４を、本体１０の長手方向に対して直角方向に回転させることにより、表面に露出される部分については、表示や機能操作のためのスペース以外にも、表示画面４の補助画面スペースとして、また、最近の携帯用電話機の使用状況から考えられる、デジタルカメラの撮影用レンズのレイアウト等の他、多種多彩なバリエーションが考えられる。
【０００９】
【発明の効果】
表示画面４の縦寸法と、横寸法の比率で、表示画面４を回転させて生ずる二層構造の部分の表面積は異なるが、従来のものに比べ相当の面積拡大が確保される。その結果、従来機種の一画面単位として比較すると、同じサイズの表示文字であれば、画面が拡大された面積分の、多くの情報量を一括表示することができ、また、従来機種と同様の一画面の情報量として考えれば、画面が拡大された面積の比率で、文字の大きさを拡大して表示できるので、利用者の指向によって、情報量重視で使用するか、文字サイズ表示重視で使用するか、双方の利用者にとっても大きなメリットが生じると考える。
これらのことは、文字のみならず、記号、画像などについても、携帯用電話機を介しての通信情報一般について同様の効果が得られることとなる。
【００１０】
【図面の簡単な説明】
【図１】表示画面部分が回転された状態の正面図
【図２】図１の断面図
【図３】表示画面部分が収納された状態の正面図
【図４】図３の断面図
【符号の説明】
１  収納アンテナ
２  受話器
３  表示スペース
４  表示画面
５  回転軸
６  表示文字
７  機能選択スペース
８  選択ボタン類
９  入力キー
１０  本体
１２  送話器
【図１】
2004289507.tif 000003
【図２】
2004289507.tif 000004
【図３】
2004289507.tif 000005
【図４】
2004289507.tif 000006